(57)【要約】      （修正有）【課題】様々な使用条件にかかわらず様々な視角で操作することができる携帯電子装置を提供する。【解決手段】携帯電子装置は第１本体部と、第２本体部と、スライドモジュールと、回転モジュールとを備える。第２本体部がスライドモジュールにより第１本体部の表面に沿ってスライドした後、回転モジュールは第２本体部を第１本体部に対して第１角度へ自動的に回転させるよう直ちに作動される。第１角度傾斜した第２本体部が推力を受けた時、第２本体部は第２角度へ更に回転する。【選択図】図２Ａ
0003156782.tif 000002
【実用新案登録請求の範囲】
【請求項１】
第１本体部と、
第２本体部と、
該第１本体部と該第２本体部とに接続され、該第２本体部を第１位置から第２位置へ該第１本体部の表面に沿って案内するためのスライドモジュールと、
該第１本体部と該第２本体部とに接続された回転モジュールと
を備え、
該第２本体部が該第２位置へスライドした後、該回転モジュールは該第２本体部を該第１本体部に対して第１角度を成す第３位置へ自動的に回転させ、該第２本体部が推力を受けた時、該第２本体部は該第１本体部に対して該第３位置から該第１角度より大きい第２角度を成す第４位置へ更に作用により回転する携帯電子装置。
【請求項２】
前記第１位置から前記第２位置へスライド中、前記第２本体部は前記第１本体部の前記表面に当接し、前記回転モジュールを制止する請求項１に記載の携帯電子装置。
【請求項３】
前記回転モジュールは、前記第２本体部が前記第２位置へスライドした後、該第２本体部を前記第３位置へ回転させるよう駆動するエネルギーを解放することが可能なエネルギー貯蔵器を備える請求項２に記載の携帯電子装置。
【請求項４】
前記回転モジュールは多段ヒンジ組立体であり、前記エネルギー貯蔵器はバネであり、該多段ヒンジ組立体は前記第２本体部に接続されたカム構造体を備え、該バネから解放されたエネルギーは、該第２本体部を回転駆動するよう該カム構造体を動かすことができる請求項３に記載の携帯電子装置。
【請求項５】
前記第１角度は、ほぼ０°〜２０°の範囲であり、前記第２角度は、ほぼ２０°〜５０°の範囲である請求項４に記載の携帯電子装置。
【請求項６】
前記第２角度は、前記第２本体部に印加された前記推力によって決定される請求項５に記載の携帯電子装置。
【請求項７】
前記第２角度は、前記第２本体部への前記推力の印加を止めることにより決定される請求項５に記載の携帯電子装置。
【請求項８】
前記推力が前記第２本体部を前記第１本体部に対して前記第１角度より大きく前記第２角度より小さい第３角度へ駆動すると、該第２本体部は前記第２角度へ自動的に回転する請求項６に記載の携帯電子装置。
【請求項９】
前記第１本体部の前記表面上に配置されたキーボードモジュールと、該第１本体部内に配置された電力貯蔵器と、前記第２本体部上に配置された表示装置とを更に備える請求項４に記載の携帯電子装置。
【請求項１０】
前記第２本体部が前記第１位置、前記第３位置、前記第４位置にある時、それぞれ第１動作モード、第２動作モード、第３動作モードを実行することが可能な請求項２に記載の携帯電子装置。
【請求項１１】
前記第２動作モード又は前記第３動作モードは、音出力、画像表示、アプリケーション実行、及びこれらの組合せから成るグループから選択される請求項１０に記載の携帯電子装置。
【請求項１２】
前記第１動作モードは肖像画モードで画像を表示し、前記第２動作モード又は前記第３動作モードは風景画モードで画像を表示する請求項１０に記載の携帯電子装置。
【請求項１３】
第１本体部と第２本体部とを備え、該第２本体部が第１位置にある時、第１動作モードを実行することが可能な携帯電子装置を操作する方法であって、
該第２本体部を該第１本体部に対して第１角度へ自動的に回転させ、第２動作モードの実行を可能にするステップと、
該第２本体部を該第１本体部に対して該第１角度より大きい第２角度へ調整し、第３動作モードの実行を可能にするステップと
を含む方法。
【請求項１４】
前記第２本体部を前記第１本体部に対して第１角度へ自動的に回転させる前記ステップの前に、該第２本体部を前記第１位置から第２位置へ該第１本体部の表面に沿ってスライドさせるステップを更に含み、
該第１位置から該第２位置へスライド中、該第２本体部は該第１本体部の該表面に当接し、回転モジュールが作動しないよう制止する請求項１３に記載の方法。
【請求項１５】
前記第２本体部を前記第１本体部に対して前記第２角度へ調整する前記ステップは、前記第１角度傾斜した該第２本体部に推力を印加するステップを含む請求項１４に記載の方法。
【請求項１６】
前記第２本体部に推力を印加する前記ステップは、該第２本体部が前記第１本体部に対して前記第２角度になるまで該第２本体部に該推力を印加するステップを含む請求項１５に記載の方法。
【請求項１７】
前記第２本体部に推力を印加する前記ステップは、該第２本体部が前記第１本体部に対して前記第１角度より大きく前記第２角度より小さい第３角度になるまで該第２本体部に該推力を印加し、該第２本体部は該第３角度から該第２角度へ自動的に回転するステップを含む請求項１５に記載の方法。
【請求項１８】
前記第２動作モード又は前記第３動作モードは、音出力、画像表示、アプリケーション実行、及びこれらの組合せから成るグループから選択される請求項１４に記載の方法。
【請求項１９】
前記第１動作モードは肖像画モードで画像を表示し、前記第２動作モード又は前記第３動作モードは風景画モードで画像を表示する請求項１４に記載の方法。
【考案の詳細な説明】
【技術分野】
【０００１】
本考案は、携帯電子装置、特に複数の操作モード及び状態を有する携帯電子装置を提供する。
《関連する出願への相互参照》
本出願は、２００８年１２月１７日付で出願した台湾特許出願第０９７１４９２３２号に基づく優先権を主張するものである。この出願全体を本明細書に援用する。
【背景技術】
【０００２】
製造プロセスと移動通信技術との進歩に伴って、携帯電子装置は益々普及し、また次第に小型化されてきている。ユーザの様々な要求を満たすために、様々な構造の携帯電子装置が設計可能であり、より多様な操作スタイルをユーザに提供する。
【０００３】
例えば、ユーザが携帯電子装置の画面に表示された情報をよりはっきりと見ることができ、相対的に複雑な指令を入力することができるように、現在の携帯電子装置は、より大きく幅の広い表示装置と多数のキーを有するキーボードの両方を備えるよう設計されている。これらの部品の体積は大きいので、現在入手可能な通常の携帯電子装置は、使用に便利なようにクラムシェル形状またはスライド式である。
【０００４】
スライド式の携帯電子装置１の操作を図１Ａ、図１Ｂに示す。携帯電子装置１は第１本体部１１と第２本体部１３とを備え、第１本体部１１はキーボード１１１を備え、第２本体部１３は表示装置１３１を備える。より詳細には、図１Ａは携帯電子装置１が閉じられた状態を例示する。この状態では、携帯電子装置１は第２本体部１３の前面に表示装置１３１と、その横に配置された簡単な指令入力、着信への応答等の通常の操作を実行するためのキー１５とを露出する。図１Ｂを参照すると、キーボードから相対的に複雑な指令を入力する必要がある場合は、第２本体部１３を第１本体部１１に対してスライドさせ、キーボード１１１を露出させることができる。
【０００５】
この従来の携帯電子装置を使用する場合、様々な使用条件及び周囲の明るさに応じて見易くするためにこの携帯電子装置をユーザの目に対して特定の角度に調整するためには、ユーザは自身に頼るしかない。言い換えれば、ユーザがこの携帯電子装置を様々な操作条件で（例えば、手に持って、又は机の上に置いて）操作する時、携帯電子装置の最適な視角が異なる。このため、様々な条件において携帯電子装置を使用する時、ユーザが手に持ちその向きを調整するだけでは、長時間の使用中、ユーザの要求を満たすことができずユーザにとって不便となるであろう。
【考案の概要】
【考案が解決しようとする課題】
【０００６】
この点を考慮して、本考案は様々な使用条件にかかわらず様々な視角で操作することができる携帯電子装置を提供する。
【課題を解決するための手段】
【０００７】
本考案の１つの目的は、携帯電子装置を提供することである。スライドモジュールと回転モジュールとを使用することで、この携帯電子装置の特定の構造体は、スライド移動に続いて自動的にある角度に傾斜することができる。ユーザは望むように更に調整してもよく、その結果、本考案の携帯電子装置は様々な表示方向、複数の動作モード及び状態を提供し、様々な使用要求を満たすことができる。
【０００８】
本考案の別の目的は、携帯電子装置を操作する方法を提供することである。この方法は携帯電子装置がその様々な角度状態に対応する様々な動作モードで動作するのを可能にし、携帯電子装置の利便性を向上させる。
【０００９】
本考案は第１本体部と、第２本体部と、スライドモジュールと、回転モジュールとを備える携帯電子装置を提供する。スライドモジュールと回転モジュールとは第１本体部と第２本体部とに接続され、スライドモジュールと回転モジュールとの協働により、該第２本体部は第１位置（閉じた状態）から第２位置（開いた状態）へ第１本体部に対してスライドし、次に第３位置（第２本体部は第１本体部に対して第１角度傾斜している）へ自動的に回転する。その後、第３位置にある第２本体部が推力を受けた時、第２本体部は第４位置（第２本体部は第１本体部に対して第２角度傾斜している）へ更に回転する。第２本体部をユーザの好み及び環境条件に依って特定の範囲内（第１角度と第２角度の間）の任意の角度（第３角度と呼ばれる）へ調整することができ、自由停止構成を提供する。或いは、第２本体部が第１角度へ自動的に傾斜した後、ユーザは力を加えて第２本体部を別の所定の角度（上記第２角度であってもよい）へ更に回転させ、いわゆるクリックポイント調整を実現する。本考案の携帯電子装置はユーザの様々な要求を満たし最適な効果を提供するために複数のクリックポイントを有するよう構成されてもよい。
【００１０】
本考案に開示された携帯電子装置においては、第２本体部を該第１位置から該第２位置へスライドさせる過程で、第２本体部と第１本体部とは互いに当接する構造上の関係は、該回転モジュールの動きを制限する。従って、第２本体部のスライド中に回転モジュールの作動を防ぐために追加のロック、ブレーキ、又は阻止素子は必要でない。
【００１１】
また、本考案の携帯電子装置は、第２本体部が第１本体部に対して上記の様々な状態をとる時、様々な動作モードを実行してもよい。例えば、第２本体部が第１位置にある時、携帯電子装置は第１動作モードを実行してもよい。第２本体部が第２又は第３位置にある時、携帯電子装置は第２動作モードを実行する。第２本体部が第１本体部に対して第４位置に更に調整された時、携帯電子装置は第３動作モードを実行する。従って、ユーザは本携帯電子装置を迅速に便利に操作することができる。
【００１２】
本考案の詳細な技術と好適な実施形態を、下記に添付の図面を参照しながら当業者が本考案の特徴をよく理解できるように説明する。
【図面の簡単な説明】
【００１３】
【図１Ａ】スライド式の従来の携帯電子装置の操作法を例示する概略図である。
【図１Ｂ】スライド式の従来の携帯電子装置の操作法を例示する概略図である。
【図２Ａ】閉じた状態の本考案の携帯電子装置の概略図である。
【図２Ｂ】閉じた状態の本考案の携帯電子装置の概略図である。
【図３Ａ】開いた状態の本考案の携帯電子装置の概略図である。
【図３Ｂ】開いた状態の本考案の携帯電子装置の概略図である。
【図４Ａ】自動的に傾斜した状態の本考案の携帯電子装置の概略図である。
【図４Ｂ】自動的に傾斜した状態の本考案の携帯電子装置の概略図である。
【図５Ａ】別の操作状態の本考案の携帯電子装置の概略図である。
【図５Ｂ】別の操作状態の本考案の携帯電子装置の概略図である。
【図６】本考案の回転モジュールの実施形態の概略図である。
【図７】別の状態の本考案の回転モジュールの概略図である。
【図８】更に別の状態の本考案の回転モジュールの概略図である。
【図９Ａ】本考案の回転モジュールの他の実施形態の概略図である。
【図９Ｂ】本考案の回転モジュールの他の実施形態の概略図である。
【図１０】本考案の携帯電子装置を操作する方法のフローチャートである。
【考案を実施するための形態】
【００１４】
本考案の実施形態に係る携帯電子装置２の様々な操作状態を図２Ａ〜図５Ｂに示す。携帯電子装置２は第１本体部２１、第２本体部２３、スライドモジュール（不図示）、及び回転モジュール６を主要部として備える。該スライドモジュールと回転モジュール６とは、第１本体部２１と第２本体部２３とに接続されている。第２本体部２３は図２Ａ、図２Ｂに示す第１位置（携帯電子装置２は閉じた状態）から図３Ａ、図３Ｂに示す第２位置（携帯電子装置２は開いた状態）へ第１本体部２１の表面２２に沿って該スライドモジュールによりスライドするよう適合している。本実施形態では、携帯電子装置２は２つの回転モジュール６を備える。図４Ａ、図４Ｂに示すように、第２本体部２３が第２位置（閉じた状態）へスライドすると、回転モジュール６は可動状態となり、第２本体部２３は第１本体部２１に対して自動的に第３位置（第２本体部２３は第１本体部に対して第１角度θ傾斜している）へ回転する。また、図５Ａ、図５Ｂに示すように、第３位置（第１角度θ）において推力を受けると、第２本体部２３は第３位置から第４位置へ回転するよう適合されている。第４位置では、第２本体部２３は第１本体部に対して第１角度θより大きい第２角度θ’傾斜している。
【００１５】
図１Ａ、図１Ｂに示す従来の携帯電子装置１と同様、本実施形態の携帯電子装置２は第２本体部２３に配置された表示装置（例えばタッチスクリーン、不図示）を備えてもよい。第１位置では、携帯電子装置２は第１動作モードを実行可能であり、例えば、ユーザがタッチスクリーンを介して携帯電子装置２と通信してマンマシン・インターフェース（ＨＭＩ）機能を実行するために肖像画モードで画像を表示することが可能である。また、携帯電子装置２は第１本体部２１の表面２２上に配置されたキーボードモジュール（不図示）を更に備え、ユーザがデータを入力するか、携帯電子装置２を操作してこれと通信し、ＨＭＩ機能を実行するのを可能にする。言い換えれば、第１本体部２１と第２本体部２３とは、ＨＭＩ装置を構成し、相対的な移動による様々な状態を有する。また、携帯電子装置２は第１本体部２１内に電力貯蔵装置（不図示）を更に備えてもよい。キーボードモジュールと電力貯蔵装置は第１本体部２１の重量を増やし、その結果、第２本体部２３が第１本体部に対して回転する時も、携帯電子装置２の重心は、第１本体部２１に留まり、ひっくり返ることがない。
【００１６】
より詳細には、携帯電子装置２の回転モジュール６はエネルギー貯蔵器を備える。第２本体部２３が第２位置にスライドした後、該エネルギー貯蔵器によって解放されたエネルギーが、第２本体部２３を第３位置（即ち、第１角度θ）へ駆動する。図６に示すように、本実施形態の回転モジュール６は多段ヒンジ組立体であるのが好ましく、該エネルギー貯蔵器はバネ６３であり、回転モジュール６はカム構造体を備える。回転モジュール６は第２本体部２３に接続され、バネ６３から解放されたエネルギーは該カム構造体の位置を変え、第２本体部２３を回転させる。
【００１７】
より詳細には、回転モジュール６はストッパー６０、スピンドル６１、バネ６３、第１可動部品６５、及び第２可動部品６７を備える。スピンドル６１は長い棒状で、開示及び説明の目的のために、第１部分６１ａと第２部分６１ｂとを備えるよう規定されてもよい。ストッパー６０はスピンドル６１の第１部分６１ａに第１可動部品６５に対向して固定され、バネ６３は、ストッパー６０と第１可動部品６５の間の第１部分６１ａに装着されている。バネ６３はその両端がストッパー６０と第１可動部品６５にそれぞれ当接している。
【００１８】
本実施形態では、バネ６３はスピンドル６１の第１部分６１ａに装着された、予め圧縮されたバネ（弾性エネルギーを予め蓄えた）であるのが好ましい。ストッパー６０と第１可動部品６５との最大距離は、予想されるように、バネ６３の自由長（圧縮力が印加されていない時のバネ６３の長さ）を超えてはならない。バネ６３は、最初は予め圧縮された状態に保持され、弾性力が解放されると、軸方向の推力がスピンドル６１に沿って印加される。また、バネ６３の一端は固定されたストッパー６０に当接するので、この軸方向の推力は第１部分６１ａから第２部分６１ｂに向って働き、第１可動部品６５は第１部分６１ａから離れる方向に移動するよう付勢される。なお、該エネルギー貯蔵器はバネに限定されることなく、他の実施形態では、エネルギーを蓄え解放することができる他の素子であってもよい。当業者は代替品を容易に想到する可能性がある。
【００１９】
本実施形態における前記移動の付勢を実現するために、スピンドル６１は非円形断面を有するよう設計され、第１可動部品６５には、スピンドル６１の断面と相補関係にある非円形断面を有する第１軸方向孔（不図示）が形成されている。第１軸方向孔により、第１可動部品６５をスピンドル６１に可動に装着することができる。予想されるように、スピンドル６１と第１可動部品６５とは該非円形断面同士により嵌合するので、スピンドル６１に対する第１可動部品６５の動きは制限される。言い換えると、第１可動部品６５はスピンドル６１に対して回転することを制限され、スピンドル６１の軸に沿った移動、即ちいわゆる非回転移動だけが許される。
【００２０】
次に、第１可動部品６５と第２可動部品６７との関係を説明する。第１可動部品６５と第２可動部品６７との両方は、概ねスピンドル６１の第２部分６１ｂに装着されている。非円形の第１軸方向孔を有する第１可動部品６５と違い、第２可動部品６７はスピンドル６１が挿通する略円形断面の第２軸方向孔（不図示）を備える。スピンドル６１と第２可動部品６７とは円形断面の第２軸方向孔により嵌合するので、第２可動部品６７はスピンドル６１に対して移動することなく回転可能である。
【００２１】
第１可動部品６５によって第２可動部品６７を回転駆動するために、第１可動部品６５と第２可動部品６７は、第１カム構造体６５１と第２カム構造体６７１をそれぞれ有するよう設計されている。第１カム構造体６５１は、第１可動部品６５のバネ６３と反対側の一端に形成され、第２カム構造体６７１は、第２可動部品６７の第１カム構造体６５１に当接する一端に形成されている。具体的には、各カム構造体には傾斜した面が形成されている。即ち、第１可動部品６５の第１カム構造体６５１は第１傾斜面６５１ａを備え、第２可動部品６７の第２カム構造体６７１は第２傾斜面６７１ａを備える。第２傾斜面６７１ａが第１傾斜面６５１ａに対してスライド可能なように、第１傾斜面６５１ａは第２傾斜面６７１ａと作用可能に係合している。第１傾斜面６５１ａは第１係合端６５１ｂを備え、第２傾斜面６７１ａは第２係合端６７１ｂを備える。第２傾斜面６７１ａが第１傾斜面６５１ａに対して所定の量だけスライドすると、第２係合端６７１ｂは第１係合端６５１ｂに当接することで停止するように、第２係合端６７１ｂは第１係合端６５１ｂと作用可能に係合する。
【００２２】
図６、図７を参照すると、本実施形態において、バネ６３が軸方向の推力をスピンドル６１に沿って第２部分６１ｂに向って印加し、第１可動部品６５が第１部分６１ａから離れるよう（即ち、第２部分６１ｂに向って）回転なしで移動させられると、スピンドル６１に対して回転なしで移動だけが可能な第１可動部品６５は、第２可動部品６７をスピンドル６１に対して移動なしで回転するよう駆動する。特に、第１カム構造体６５１と第２カム構造体６７１との相互作用により、第２可動部品６７の第２傾斜面６７１ａが第１可動部品６５の第１傾斜面６５１ａに対してスライドするように適合されている。この結果、第２カム構造体６７１は図６に示す第１係合位置から図７に示す第２係合位置へ回転する。
【００２３】
図６、図７、図８を参照すると、本実施形態において、回転モジュール６は、スピンドル６１が挿通する第３軸方向孔（不図示）を有する第３可動部品６９を更に備えてもよい。第２可動部品６７の第２軸方向孔と同様に、第３可動部品６９の第３軸方向孔も略円形断面を有する。第３可動部品６９はスピンドル６１の第２部分６１ｂに装着され、第２可動部品６７の第１可動部品６５と反対側の一端と回転可能に係合する（即ち、第２可動部品６７は第１可動部品６５と第３可動部品６９との間に配置される）。第２可動部品６７が図６に示す第１係合位置から図７に示す第２係合位置へ回転する時、第３可動部品６９も第２可動部品６７に同期して回転する。
【００２４】
図示のように、第２可動部品６７と第３可動部品６９は、雄構造体６７５と雌構造体６９１をそれぞれ更に備える。これら構造体は、第３可動部品６９が第２可動部品６７と係合するのに適合するよう互いに作用可能に係合する。幾つかの実施例では、第３可動部品６９も第２可動部品６７に対して同様に移動なしで回転してよい。例えば、雄構造体６７５は第２可動部品６７の第３可動部品６９と係合する一端に形成されている。雌構造体６９１は第３可動部品６９の第２可動部品６７と係合する一端に形成されている。図７、図８の両方を参照すると、本実施形態において、雄構造体６７５は突起であり、一方、雌構造体６９１は２つ以上の凹部からなる。該突起は該各凹部と係合するよう適合している。第２可動部品６７と第３可動部品６９とが図７に示す第２係合位置にある時、第３可動部品６９に更に印加される外部力は第３可動部品６９を第２可動部品６７に対して回転させ、雄構造体６７５に別の雌構造体６９１と係合させる。その結果、第３可動部品６９は第２可動部品６７に対して図７に示す第２係合位置から図８に示す第３係合位置へ回転する。なお、上記で例示した形態は、限定のためでなく、説明の目的だけのためである。他の実施形態では、雄構造体６７５と雌構造体６９１は他の相補構造体であってもよい。また、より多くの雄構造体６７５と雌構造体６９１とを有してもよい。これにより、第３可動部品６９は第２可動部品６７に対して３つ以上の係合位置へ回転することができる。
【００２５】
本実施形態の構成により、第１可動部品６５が回転することなく移動する時、これに応じて第２可動部品６７と第３可動部品６９は共に移動することなく回転し、第３可動部品６９は第２可動部品６７に対して更に回転してもよい。
【００２６】
なお、本実施形態の回転モジュール６は、必要な相対的動きを引き起こす異なる軸方向孔及び構造を有する可動部品６５、６７、６９と共に非円形スピンドル６１を使用する多段ヒンジ組立体であるのが好ましい。軸方向孔の断面、傾斜面、又はカム構造体の異なる構成により、異なる回転方向及び角度を得ることができる。また、本実施形態では、スピンドル６１は固定され、一方、第２可動部品６７と第３可動部品６９はスピンドル６１に対して回転することができる。しかし、相対的動きの原理から分かるように、第３可動部品６９が固定され、スピンドル６１がこれに対して動く構成を使用してもよい。このことは本考案の着想に基づいて当業者が容易に理解するであろう。
【００２７】
次に、第１本体部２１と第２本体部２３と回転モジュール６との間の相対的動きを更に説明する。図２Ａ〜図５Ｂを参照すると、携帯電子装置２の第２本体部２３は回転モジュール６の第３可動部品６９と、接続部材２５ａを介して接続されている。ストッパー６０はスピンドル６１に一体的に接続され単一体を成している。第１本体部２１は回転モジュール６のストッパー６０に別の接続部材２５ｂを介して接続されている。回転モジュール６のうち１つだけを下記に説明する。携帯電子装置２の最初の閉じた状態では、第１本体部２１と第２本体部２３は互いに隣接している、即ち、第２本体部２３の下外周２６が第１本体部２１の上外周２４に隣接している。従って、この状態では、回転モジュール６のどんな動きも制限され、エネルギー貯蔵器はエネルギー貯蔵状態に保たれる（例えば、バネ６３は上記予め圧縮された状態にある）。
【００２８】
また、図３Ａ、図３Ｂを参照すると、キーボードを操作する必要がある時、又はより広い表示面が必要な時、ユーザは第２本体部２３を第１本体部２１の表面２２に沿って該スライドモジュールの案内に従ってスライドさせ、キーボード（表面２２上に通常配置されている）を露出させることができる。これにより、携帯電子装置２は閉じた状態から開いた状態に変わり、ユーザはキーボードを介して携帯電子装置２に指令を入力することができる。閉じた状態では、携帯電子装置２は第１動作モードを実行でき、開いた状態に移行する時、携帯電子装置２は第２動作モード、例えば、音出力、画像表示、アプリケーション実行、又はこれらの組合せを実行できる。第１動作モードが肖像画モードで画像を表示することである場合、携帯電子装置２が第２動作モードに切り替わった時、風景画モードで画像を表示するよう自動的に調整される。言い換えると、携帯電子装置２は状態に依って対応する動作モードを開始又は実行してよい。
【００２９】
図３Ａ、図３Ｂに示す位置に第２本体部２３がスライドモジュールに案内されスライドすると、第２本体部２３の下外周２６が第１本体部２１の上外周２４に当接する時に生成される制止力は消失し、回転モジュール６は動きを制限されることがもはやない。バネ２３の弾性エネルギーが解放され、回転モジュール６の第２可動部品６７を図６に示す第１係合位置から図７に示す第２係合位置へ回転させる。これにより、携帯電子装置２の第１本体部２１と第２本体部２３とは図４Ａ、図４Ｂに示す相対位置関係になる。図６、図７を参照すると、この段階では、第２可動部品６７の雄構造体６７５と第３可動部品６９の雌構造体６９１との係合により、第３可動部品６９は第２可動部品６７と同期して回転し、両者間の相対的回転はない。また、ストッパー６０は第１本体部２１に接続部材２５ｂを介して一体的に接続されているので、接続部材２５ａと第３可動部品６９は自動的に対応して回転し、一方、第１本体部２１に接続部材２５ｂは静止したままである。即ち、第２本体部２３は第１本体部２１に対して自動的に回転し、自動的傾斜効果を提供する。第２本体部２３を自動的に傾斜させるこの回転は、回転モジュール６の第１係合端６５１ｂと第２係合端６７１ｂとが互いに係合する（図７に示す第２係合位置）まで続く。この時、第２本体部２３は第１本体部２１と第１角度θ（即ち、上記第３位置）を成す。第１角度θはほぼ０°〜２０°の範囲であり、一般的な手に持って使用する場合に好適である。
【００３０】
図５Ａ、図５Ｂを参照すると、本実施形態において、ユーザは、第１本体部２１に対して第２本体部２３の傾斜角を更に調整してもよい。具体的には、第３可動部品６９の雌構造体６９１の構造上の構成により、第２可動部品６７の雄構造体６７５を複数の雌構造体６９１の間で切り替えてもよい。これにより、第２本体部２３は第１本体部２１に対して幾つかの傾斜角をとることができる。例えば、ユーザは第２本体部２３を第１角度θからより大きな第２角度θ’（例えば、上記第４位置）へ回転させる力を印加して、第３動作モードを起動してもよい。第３動作モードの選択及び実行は、第２動作モードと同様であり、本明細書では説明を省略する。実際には、第２角度θ’は２０°〜５０°の範囲であり、携帯電子装置２をテーブルの上に置いて使用するデスクトップモードに好適である。
【００３１】
また、第３可動部品６９の雌構造体６９１と第２可動部品６７の雄構造体６７５とは、第２本体部２３に印加された力によって決まる第２本体部２３の第２角度θ’のために更に設計されてもよい。図６、図７、図８を参照すると、本実施形態において、印加された力が第２本体部２３を第１角度θと第２角度θ’の間の第３角度θ”（不図示）へ駆動する時、第２本体部２３は自動的に第２角度θ’へ回転する。実際には、第３角度θ”は第１角度θより大きく、第２角度θ’を超えない。より詳細には、回転位置決め効果は、第３可動部品６９の雌構造体６９１と第２可動部品６７の雄構造体６７５との相対的位置関係によって実現される。力を受けると、第３可動部品６９は第２可動部品６７に対して回転する。即ち、第２可動部品６７の雄構造体６７５（即ち、突起）は雌構造体６９１の１つの凹部から別の凹部へスライドし係合する。２つの隣接する雌構造体６９１間の構造がドーム状部となるよう設計されている場合、雄構造体６７５が凹部の底部から２つの雌構造体６９１が互いに接続される該ドーム状部に沿ってスライドし、該ドーム状部の頂点を通過した後（この時、第２本体部２３は第３角度θ”傾斜している）、ユーザが第２本体部２３への力の印加を止めた場合でも、バネ２３から解放された弾性エネルギーと、雄構造体６７５と雌構造体６９１の間の相互作用とにより、該突起は該ドーム状部に沿って雌構造体６９１の別の凹部へ更にスライドし、これにより第３可動部品６９を第２係合位置から第３係合位置へ回転させる。これは、携帯電子装置２の次の操作状態に対応する。即ち、第２本体部２３は印加された外部力の作用により上記第１傾斜角度θ（第３位置）から第３角度θ”へ回転し、次に第２角度θ’（第４位置）へ自動的に傾斜することで、クリックポイント調整を実現する。本考案の回転モジュール６は、ユーザの様々な要求を満たし最適な効果を提供するために複数のクリックポイントを有してもよい。
【００３２】
なお、２つの隣接する雌構造体６９１の間のドーム状部は、例として設けられており、限定する目的のためではない。雄構造体６７５と雌構造体６９１との構造は実際の要求に依って変更してよい。例えば、別の実施例では、第３角度θ”は第２本体部２３への力の印加を止めることで決められてもよい。なお、本明細書の第３角度θ”は上記第２角度θ’であると考えてもよい。図９Ａを参照すると、雄構造体６７５と雌構造体６９１とは大きな摩擦係数を有する材料から形成され、雄構造体６７５の突起と雌構造体６９１の凹部とは先が平らな端を有してもよい。また、第３可動部品６９の２つの隣接する雌構造体６９１の距離は広げられ平らな部分を形成してもよい。この場合、第３可動部品６９の前記第２係合位置から第３係合位置への回転中、ユーザが更に力を印加しない場合、雄構造体６７５は第３可動部品６９の該平らな部分（即ち、２つの雌構造体６９１の間）で突起と平らな部分との静的摩擦により一時的に停止してもよい。これは、ユーザが最適な視角を決定するまで続く自在停止又は自由停止効果を提供する。言い換えると、第１本体部２１に対して第２本体部２３が成す第３角度θ”（上記第２角度θ’であると考えてもよい）は、ユーザが力の印加を止めた第２本体部２３の位置に依って変わってもよい。
【００３３】
図９Ｂに示す別の例では、第２可動部品６７と第３可動部品６９のそれぞれの接触面は十分に大きな摩擦係数を有する材料から形成され、該バネ６３が大きな弾性係数（即ち、大きな弾性エネルギー）を有する場合、雄構造体６７５と雌構造体６９１とはなくてもよく、代わりに、第２可動部品６７と第３可動部品６９の接触面が互いに当接する場合に生成される静的摩擦を位置決めのために直接使用してもよい。この場合、第３可動部品６９が前記第２係合位置から第３係合位置へ回転する時、ユーザが更に力を印加しない場合、第３可動部品６９は第２可動部品６７の接触面に対して任意の位置で一時的に停止してもよく、これにより自由停止効果を実現する。これは、携帯電子装置２の次の操作状態に対応する。即ち、第２本体部２３が上記第１傾斜角度θ（第３位置）から第３角度θ”（上記第２角度θ’に対応する第４位置であると考えてもよい）へ印加された外部力により手動で回転される。これにより自由停止効果を実現する。
【００３４】
また、接触面同士の摩擦を増加させる他の方法は、雌構造体６９１の凹部及び雄構造体６７５の突起として複数の相補微小構造体、例えば、複数の相補微小溝を形成することである。この結果、第２本体部２３が第１本体部２１に対して成す第２角度θ’又は第３角度θ”は第２本体部２３と第１本体部２１との相対的角度の選択肢を複数提供するよう調整できる。言い換えると、当業者は雄構造体６７５と雌構造体６９１との構造を変更して様々な傾斜角度を第２本体部２３に設ける可能性がある。
【００３５】
図２Ａ〜図４Ｂを参照すると、本考案の実施形態において、第２本体部２３を閉じた状態から開いた状態へスライドさせる過程において、第２本体部２３が第１本体部２１の表面２２に当接し、第１本体部２１、第２本体部２３、及びスライドモジュール間の相補的構造関係により、第２本体部２３は第１本体部２１の表面２２に平行な方向にスライドすることは強調されるべきである。このスライド過程において、スライドモジュールは第１本体部２１と第２本体部２３とが互いに当接することで、いかなる動きも制限される。言い換えると、回転モジュール６を制止するために追加のロック、ブレーキ、又は阻止素子は必要でない。これは第２本体部２３が開いた状態へスライドするまで続き、この時、回転モジュール６は第２本体部２３の縁に位置し、第１本体部２１及び第２本体部２３によってもはや制止されない。次に、回転モジュール６に予め蓄えられたエネルギー（即ち、予め圧縮されたバネ６３に蓄えられた弾性エネルギー）が解放されて、回転モジュール６が動作して上記カム構造体の位置を変える。この結果、第２本体部２３は第１本体部２１に対して第１角度θへ自動的に回転し、力を受けると、更に第２角度θ’へ回転する。
【００３６】
本考案の別の実施形態は図１０に示す携帯電子装置の操作方法を開示する。本方法が適用可能な携帯電子装置の構造は、上記実施形態において既に開示したので、更なる説明は省略する。
【００３７】
図２Ａ〜図５Ｂを参照すると、第２本体部２３が第１位置（閉じた状態に対応する）にある時、携帯電子装置２は第１動作モードを実行、例えば肖像画モードで画像を表示するよう適合されている。ステップ１０１では、第２本体部２３はスライドモジュール上を第１本体部２１の表面２２に沿って第１位置（閉じた状態に対応する）から第２位置（開いた状態に対応する）へスライドする。この結果、第１本体部２１の表面２２上のキーボードモジュールが現れ、ユーザは携帯電子装置２に指令を入力することができる。第１位置（閉じた状態に対応する）から第２位置（開いた状態に対応する）へスライドする過程において、第２本体部２３は第１本体部２１の表面２２に当接する。従って、回転モジュール６の動きを制限するために追加のロック、ブレーキ、又は阻止素子は必要でない。
【００３８】
第２本体部２３が第２位置にある時、第２本体部２３の下外周２６が第１本体部２１の上外周２４に当接する時に生成される制止力は消失する。このため、ステップ１０２では、回転モジュール６により、第２本体部２３が第１本体部２１に対して第３位置（第１角度θに対応する）へ自動的に回転し、第２動作モードを実行する。第１角度θは０°〜２０°の範囲が好ましい。第２動作モードは、音出力、画像表示、アプリケーション実行／開始、又はこれらの組合せであってもよい。
【００３９】
より具体的には、ユーザが携帯電子装置２を操作してステップ１０１、１０２を実行し、第２本体部２３が第１角度θ傾斜している時、携帯電子装置２は警報音を発し、ユーザに現在の動作モードを通知する。或いは、携帯電子装置２は、表示モードを自動的に調整し、例えば、閉じた状態に対応する第１動作モードの肖像画モードから開いた状態に対応する第２動作モードの風景画モードに変わり、ユーザがキーボードモジュールからより複雑な指令を入力するのを可能にする。第２動作モードの携帯電子装置２は特定のアプリケーションを直接実行し、例えばウェブブラウザー、ファイルエディター等を開始させる。なお、当業者は容易に理解できるように、上記第２動作モードは説明のためだけに提供されており、ユーザによって実際の必要に依って規定、選択、結合されてもよい。従って、本考案はこれに関して限定されない。
【００４０】
次に、ステップ１０３が実行され、第２本体部２３は第１本体部２１に対して第２角度θ’へ調整され、第３動作モードを実行する。第２角度θ’は第１角度θより大きく、２０°〜５０°の範囲が好ましい。より詳細には、第２本体部２３を第１本体部２１に対して第２角度θ’へ調整するステップは、第１角度θの第２本体部２３に力を加えることで実行される。
【００４１】
上記実施形態で開示したように、第２本体部２３を第１本体部２１に対して第１角度θから第２角度θ’へ回転する過程は、少なくとも次の２つの方式を含んでよい。即ち（ａ）第２本体部２３を第２角度θ’へ調整するステップは、第２本体部２３に力を加えることで実行され、第２本体部２３は第１角度θと第２角度θ’の間の第３角度θ”となり、次に、第３角度θ”から第２角度θ’へ自動的に回転する。これによりいわゆるクリックポイント調整が達成される。或いは、（ｂ）力を加えることで、第２本体部２３が第１角度θから第３角度θ”へ回転し、次に力を加えるのを止める（この場合、第３角度θ”は第２角度θ’であると考えてもよい）。これにより、いわゆる自在又は自由停止効果が得られる。上述したように、第２本体部２３が第２角度θ’又は第３角度θ”傾斜している時、携帯電子装置２は自動的に第３動作モードを実行する。第３動作モードの選択及び実行は、第２動作モードと同様であり、更なる説明は省略する。また、第１本体部２１と第２本体部２３との相対的移動関係に加えて、これらの動作モードを実現するために使用される回転モジュール６は、上記実施形態で既に開示されている。
【００４２】
上記の説明によれば、本考案の携帯電子装置において、本体部のうち１つは、相対的スライド移動に引き続き自動的に特定の角度に傾斜し、次に、携帯電子装置の使用条件にかかわらず、ユーザが該本体部を任意の所望の角度へ調整してもよい。一方、本体部の相対的角度に応じて、携帯電子装置は対応する動作モードを実行してもよい。従って、本携帯電子装置は使用するのに便利である。
【００４３】
上記の開示は本考案の詳細な技術内容と独創的な特徴に関する。当業者は本考案の上記の開示と示唆に基づいて本考案の範囲から逸脱することなく様々な変更と置換えを想到する可能性がある。そのような変更と置換えは上記の説明において完全には開示されていないが、添付の請求項にほぼ含まれている。
【符号の説明】
【００４４】
６  回転モジュール
２１  第１本体部
２２  表面
２３  第２本体部
６３  バネ（エネルギー貯蔵器）
６５１  第１カム構造体
６７１  第２カム構造体
【図１Ａ】
0003156782.tif 000003
【図１Ｂ】
0003156782.tif 000004
【図２Ａ】
0003156782.tif 000005
【図２Ｂ】
0003156782.tif 000006
【図３Ａ】
0003156782.tif 000007
【図３Ｂ】
0003156782.tif 000008
【図４Ａ】
0003156782.tif 000009
【図４Ｂ】
0003156782.tif 000010
【図５Ａ】
0003156782.tif 000011
【図５Ｂ】
0003156782.tif 000012
【図６】
0003156782.tif 000013
【図７】
0003156782.tif 000014
【図８】
0003156782.tif 000015
【図９Ａ】
0003156782.tif 000016
【図９Ｂ】
0003156782.tif 000017
【図１０】
0003156782.tif 000018
【手続補正書】
【提出日】平成21年11月11日(2009.11.11)
【手続補正１】
【補正対象書類名】実用新案登録請求の範囲
【補正対象項目名】全文
【補正方法】変更
【補正の内容】
【実用新案登録請求の範囲】
【請求項１】
第１本体部と、
第２本体部と、
該第１本体部と該第２本体部とに接続され、該第２本体部を第１位置から第２位置へ該第１本体部の表面に沿って案内するためのスライドモジュールと、
該第１本体部と該第２本体部とに接続された回転モジュールと
を備え、
該第２本体部が該第２位置へスライドした後、該回転モジュールは該第２本体部を該第１本体部に対して第１角度を成す第３位置へ自動的に回転させ、該第２本体部が推力を受けた時、該第２本体部は該第１本体部に対して該第３位置から該第１角度より大きい第２角度を成す第４位置へ更に作用により回転する携帯電子装置。
【請求項２】
前記第１位置から前記第２位置へスライド中、前記第２本体部は前記第１本体部の前記表面に当接し、前記回転モジュールを制止する請求項１に記載の携帯電子装置。
【請求項３】
前記回転モジュールは、前記第２本体部が前記第２位置へスライドした後、該第２本体部を前記第３位置へ回転させるよう駆動するエネルギーを解放することが可能なエネルギー貯蔵器を備える請求項２に記載の携帯電子装置。
【請求項４】
前記回転モジュールは多段ヒンジ組立体であり、前記エネルギー貯蔵器はバネであり、該多段ヒンジ組立体は前記第２本体部に接続されたカム構造体を備え、該バネから解放されたエネルギーは、該第２本体部を回転駆動するよう該カム構造体を動かすことができる請求項３に記載の携帯電子装置。
【請求項５】
前記第１角度は、ほぼ０°〜２０°の範囲であり、前記第２角度は、ほぼ２０°〜５０°の範囲である請求項４に記載の携帯電子装置。
【請求項６】
前記第２角度は、前記第２本体部に印加された前記推力によって決定される請求項５に記載の携帯電子装置。
【請求項７】
前記第２角度は、前記第２本体部への前記推力の印加を止めることにより決定される請求項５に記載の携帯電子装置。
【請求項８】
前記推力が前記第２本体部を前記第１本体部に対して前記第１角度より大きく前記第２角度より小さい第３角度へ駆動すると、該第２本体部は前記第２角度へ自動的に回転する請求項６に記載の携帯電子装置。
【請求項９】
前記第１本体部の前記表面上に配置されたキーボードモジュールと、該第１本体部内に配置された電力貯蔵器と、前記第２本体部上に配置された表示装置とを更に備える請求項４に記載の携帯電子装置。
【請求項１０】
前記第２本体部が前記第１位置、前記第３位置、前記第４位置にある時、それぞれ第１動作モード、第２動作モード、第３動作モードを実行することが可能な請求項２に記載の携帯電子装置。
【請求項１１】
前記第２動作モード又は前記第３動作モードは、音出力、画像表示、アプリケーション実行、及びこれらの組合せから成るグループから選択される請求項１０に記載の携帯電子装置。
【請求項１２】
前記第１動作モードは肖像画モードで画像を表示し、前記第２動作モード又は前記第３動作モードは風景画モードで画像を表示する請求項１０に記載の携帯電子装置。